(57)【要約】【課題】商品のＰＯＳ情報と、商品に取り付けられた無線タグとの対応付けの間違いをなくすことができると共に、作業者の作業負担を抑えることのできるＰＯＳ情報記録装置を提供する。【解決手段】ＵＰＣコードやＪＡＮコード等のＰＯＳ情報Ｗａが記載されかつ無線タグＲａが取り付けられた商品Ｗを、載置可能な商品載置部１０ａと、該商品載置部１０ａに載置された前記商品Ｗに記載された前記ＰＯＳ情報Ｗａを、自動的に読み取るＰＯＳ情報リーダ１２と、前記商品載置部１０ａに載置された前記商品Ｗに取り付けられた前記無線タグＲａに、情報を書き込み可能な無線タグライタ１４と、前記ＰＯＳ情報リーダ１２により読み取られた前記ＰＯＳ情報Ｗａ、または該ＰＯＳ情報Ｗａに関連付けられた情報を、前記無線タグライタ１４によって、前記無線タグＲａに書き込ませる処理を、自動的に行う制御部２とを備える。【選択図】          図２
2004265277.tif 000002
【特許請求の範囲】
【請求項１】
ＵＰＣコードやＪＡＮコード等のＰＯＳ情報が記載されかつ無線タグが取り付けられた商品を、載置可能な商品載置部と、
該商品載置部に載置された前記商品に記載された前記ＰＯＳ情報を、自動的に読み取るＰＯＳ情報リーダと、
前記商品載置部に載置された前記商品に取り付けられた前記無線タグに、情報を書き込み可能な無線タグライタと、
前記ＰＯＳ情報リーダにより読み取られた前記ＰＯＳ情報、または該ＰＯＳ情報に関連付けられた情報を、前記無線タグライタによって、前記無線タグに書き込ませる処理を、自動的に行う制御部とを備えることを特徴とするＰＯＳ情報記録装置。
【請求項２】
ユーザーが操作可能な入力手段を備え、
前記ＰＯＳ情報リーダは、前記入力手段による操作に基づいて、前記ＰＯＳ情報を自動的に読み取り、
前記制御部は、前記ＰＯＳ情報リーダが前記ＰＯＳ情報を読み取った後に、該ＰＯＳ情報、または該ＰＯＳ情報に関連付けられた情報を前記無線タグに書き込ませる処理を、自動的に行うことを特徴とする請求項１記載のＰＯＳ情報記録装置。
【請求項３】
ＵＰＣコードやＪＡＮコード等のＰＯＳ情報が記載されかつ無線タグが取り付けられた商品を、載置可能な商品載置部と、
該商品載置部に載置された前記商品に記載された前記ＰＯＳ情報を、自動的に読み取るＰＯＳ情報リーダと、
前記商品載置部に載置された前記商品に取り付けられた前記無線タグに記録されたＩＤコードを、自動的に読み取る無線タグリーダと、
前記ＰＯＳ情報と前記ＩＤコードとを関連付けて記憶可能なＰＯＳ情報記憶手段と、
前記ＰＯＳ情報リーダにより読み取られた前記ＰＯＳ情報と、前記無線タグリーダにより読み取られた前記ＩＤコードとを関連付けて前記ＰＯＳ情報記憶手段に記憶させる処理を行う制御部とを備えることを特徴とするＰＯＳ情報記録装置。
【請求項４】
ユーザーが操作可能な入力手段を備え、
前記ＰＯＳ情報リーダは、前記入力手段による操作に基づいて、前記ＰＯＳ情報を自動的に読み取り、
前記無線タグリーダは、前記操作に基づいて、前記ＩＤコードを自動的に読み取ることを特徴とする請求項３記載のＰＯＳ情報記録装置。
【請求項５】
前記入力手段は、ユーザーが前記商品を前記商品載置部に載置したことを検出する商品検出手段であることを特徴とする請求項２または４記載のＰＯＳ情報記録装置。
【請求項６】
前記商品は、平板状に形成され、少なくとも一面側に、前記ＰＯＳ情報が記載され、
前記ＰＯＳ情報リーダは、前記商品の前記一面側をスキャンして、該スキャンした商品の画像から、前記ＰＯＳ情報を認識して読み取ることを特徴とする請求項１〜５のうちのいずれか一項記載のＰＯＳ情報記録装置。
【請求項７】
前記商品には、盗難防止用ケース等のアタッチメント部材が取り付けられ、
前記無線タグは、前記アタッチメント部材に取り付けられていることで、前記商品に取り付けられることを特徴とする請求項１〜６のうちのいずれか一項記載のＰＯＳ情報記録装置。
【請求項８】
商品に記載されたＵＰＣコードやＪＡＮコード等のＰＯＳ情報を読み取るＰＯＳ情報リーダと、
盗難防止用ケース等の、無線タグが取り付けられかつ前記商品に取り付け可能なアタッチメント部材を、載置可能なアタッチメント部材載置部と、
該アタッチメント部材載置部に前記アタッチメント部材が載置されているか否かを検出するアタッチメント部材検出手段と、
前記アタッチメント部材載置部に載置された前記アタッチメント部材に取り付けられた前記無線タグに、情報を書き込む無線タグライタと、
前記アタッチメント部材検出手段によって、前記アタッチメント部材載置部に前記アタッチメント部材が載置されていると検出している間にのみ、前記ＰＯＳ情報リーダにより読み取られた前記ＰＯＳ情報、または該ＰＯＳ情報に関連付けられた情報を、前記無線タグライタによって、該アタッチメント部材に取り付けられた前記無線タグに書き込ませる処理を行う制御部とを備えることを特徴とするＰＯＳ情報記録装置。
【請求項９】
前記アタッチメント部材載置部に載置された前記アタッチメント部材に、前記商品が取り付けられているか否かを検出する商品検出手段を備え、
前記制御部は、前記アタッチメント部材検出手段によって、前記アタッチメント部材載置部に前記アタッチメント部材が載置されていると検出し、なおかつ、前記商品検出手段によって、該アタッチメント部材に前記商品が取り付けられていないと検出している間にのみ、前記ＰＯＳ情報リーダにより読み取られた前記ＰＯＳ情報、または該ＰＯＳ情報に関連付けられた情報を、前記無線タグライタによって、該アタッチメント部材に取り付けられた前記無線タグに書き込ませる処理を行うことを特徴とする請求項８記載のＰＯＳ情報記録装置。
【請求項１０】
商品に記載されたＵＰＣコードやＪＡＮコード等のＰＯＳ情報を読み取るＰＯＳ情報リーダと、
盗難防止用ケース等の、無線タグが取り付けられかつ前記商品に取り付け可能なアタッチメント部材を、載置可能なアタッチメント部材載置部と、
該アタッチメント部材載置部に前記アタッチメント部材が載置されているか否かを検出するアタッチメント部材検出手段と、
前記アタッチメント部材載置部に載置された前記アタッチメント部材に取り付けられた前記無線タグに記録されたＩＤコードを読み取る無線タグリーダと、
前記ＰＯＳ情報と前記ＩＤコードとを関連付けて記憶可能なＰＯＳ情報記憶手段と、
前記アタッチメント部材検出手段によって、前記アタッチメント部材載置部に前記アタッチメント部材が載置されていると検出されている間にのみ、前記ＰＯＳ情報リーダにより読み取られた前記ＰＯＳ情報を、前記無線タグリーダにより読み取られた前記ＩＤコードと関連付けて前記ＰＯＳ情報記憶手段に記憶させる処理を行う制御部とを備えることを特徴とするＰＯＳ情報記録装置。
【請求項１１】
前記アタッチメント部材載置部に載置された前記アタッチメント部材に、前記商品が取り付けられているか否かを検出する商品検出手段を備え、
前記制御部は、前記アタッチメント部材検出手段によって、前記アタッチメント部材載置部に前記アタッチメント部材が載置されていると検出し、なおかつ、前記商品検出手段によって、該アタッチメント部材に前記商品が取り付けられていないと検出している間にのみ、前記ＰＯＳ情報リーダにより読み取られた前記ＰＯＳ情報を、前記無線タグリーダにより読み取られた前記ＩＤコードと関連付けて前記ＰＯＳ情報記憶手段に記憶させる処理を行うことを特徴とする請求項１０記載のＰＯＳ情報記録装置。
【請求項１２】
前記商品は、内部にＣＤが格納されたＣＤケースであることを特徴とする請求項１〜１１のうちのいずれか一項記載のＰＯＳ情報記録装置。
【発明の詳細な説明】
【０００１】
【発明の属する技術分野】
本発明は、商品に取り付けられた無線タグを用いて、商品のＰＯＳ情報を記録するＰＯＳ情報記録装置に関する。
【０００２】
【従来の技術】
従来より、商品にバーコード等として記載された、ＵＰＣコードやＪＡＮコード等のＰＯＳ情報（ＰＯＳコード）を、バーコードリーダ等の光学リーダを用いて読み取って商品管理を行う商品管理方法が一般的に普及している。
【０００３】
しかしながら、バーコード等、商品に記載されたＰＯＳ情報を光学的に読み取ることによる商品管理方法においては、店員が商品に記載されたＰＯＳ情報を探して、それをバーコードリーダ等のＰＯＳ情報リーダに読み込ませる必要があり、商品の会計を迅速に行えなかったり、また、商品の盗難（万引き）を検知できなかったり、また、同じ種類の商品には全て同じＰＯＳ情報が振られることが一般的であるため、同じ種類の商品間で、個々の商品を見分けることができず、きめ細かな商品管理が行えなかったりするといった問題点がある。
【０００４】
そこで、近年、商品に記載されたＰＯＳ情報を光学的に読み取る方法に替わって、ＰＯＳ情報等の商品の情報が書き込まれた、ＲＦＩＤ等の無線タグを、商品に取り付けることによる商品管理が行われるようになってきている。
これによれば、商品の会計の際には、店員は無線タグリーダに商品を近づけるだけで、無線タグリーダと無線タグとの無線通信によって、ＰＯＳ情報を読み取らせることができるため、会計を迅速に行うことができる。また、店舗の出入口に無線タグ検出用のアンテナを設置することで、未会計の商品が店舗外に持ち出される（即ち、盗難される）のを検知することができる。さらに、無線タグにＰＯＳ情報以外の、個々の商品特異の番号等を記憶させることによって、同じＰＯＳ情報が振られた同種の商品間でも商品の差別化が行える等、商品管理をより多様的またはきめ細かに行うことができるといった利点がある。
【０００５】
なお、無線タグを用いた従来の商品管理システムの一例としては、特許文献１に記載された「無線通信システム」が挙げられる。
【０００６】
また、商品に取り付けられた無線タグが容易に取り外せるようでは、商品の盗難者は、無線タグを商品から取り外すことで、盗難を検知されることなく、商品を容易に店舗外に持ち出せる（盗難できる）こととなる。そこで、最近は、商品から無線タグを容易に取り外せないように、盗難防止用ケース等のアタッチメント部材を介して無線タグを商品に取り付ける工夫がなされている。
特に、ＣＤの販売の分野において、ＣＤが格納されたＣＤケースに盗難防止用ケースを介して無線タグ等の盗難防止タグを取り付ける技術が普及している。このような盗難防止用ケースの例としては、特許文献２に記載された「盗難防止機能を備えたＣＤ等の陳列ケース」が挙げられる。
【０００７】
ところで、例えば特許文献１の段落番号００６０の「この物流管理では無線タグ１０１には物品９９の内容物を識別するＩＤコード等が設定されており、（後略）」との記載からも分かるように、無線タグによって個々の商品を識別する商品管理方法においては、予め、無線タグに、ＰＯＳ情報等の商品に関する情報を書き込んだり、あるいは、個々の無線タグに記録されたＩＤコードと、ＰＯＳ情報等の商品に関する情報とを関連付けて記憶および管理しておいたりする必要がある。
【０００８】
商品に取り付けられる無線タグに、商品に記載されたバーコード等のＰＯＳ情報を記録する、従来のＰＯＳ情報記録装置およびＰＯＳ情報記録方法の手順を、図１１，１２を用いて説明する。
従来のＰＯＳ情報記録装置Ｘは、図１１に示すように、制御部としてのコンピュータ９０と、コンピュータ９０に接続されたバーコードリーダ９２と、コンピュータ９０に接続された無線タグライタ９４とを備える。
【０００９】
従来、無線タグに、商品に記載されたバーコード等のＰＯＳ情報を記録させる作業は、図１２のフローに示すように、まず、無線タグＲａが取り付けられた盗難防止用ケースＲを、商品Ｗに取り付ける。続いて、コンピュータ９０を操作してバーコードを読み取るための操作を行ってから、バーコードリーダ９２を商品ＷのバーコードＷａに近づけてバーコードＷａを読み取る。続いて、コンピュータ９０を操作して、先に読み込んだバーコードＷａのＰＯＳ情報を、無線タグに書き込むための操作を行ってから、無線タグライタ９４を無線タグＲａに近づけて、無線タグライタ９４によって無線タグＲａにＰＯＳ情報を書き込む。
【００１０】
【特許文献１】
特開２０００−１３４２２０号公報
【特許文献２】
特開２００２−１２５８１７号公報
【００１１】
【発明が解決しようとする課題】
しかしながら、ＣＤショップ等で、大量の商品Ｗ（ＣＤ）および盗難防止用ケースＲを扱う場合、従来のＰＯＳ情報記録装置Ｘを用いたＰＯＳ情報記録方法では、作業者（ユーザー）は、バーコードＷａを読み込んだ後、コンピュータ９０の操作や、無線タグライタ９４を無線タグＲａに近づけてＰＯＳ情報を書き込む操作等を行う必要があり、作業効率が悪い上、商品Ｗから読み取ったＰＯＳ情報を、誤って他の盗難防止用ケースＲの無線タグＲａに書き込んでしまい、商品Ｗと無線タグＲａとの対応付けが間違ってしまうといった作業ミスが発生しやすいという課題がある。
【００１２】
また、盗難防止用ケースＲは、商品Ｗから取り外し難くするために、商品Ｗの一部を覆うよう構成されることが多く、商品Ｗに盗難防止用ケースＲを取り付けた状態では、商品Ｗに記載されたバーコードＷａが盗難防止用ケースＲによって覆われて、バーコードＷａを読み取ることができないことがある。その場合、無線タグＲａにＰＯＳ情報を書き込む作業を行う作業者は、バーコードＷａの読み取りと、無線タグＲａへのＰＯＳ情報の書き込みとを行った後に、商品Ｗに盗難防止用ケースＲを取り付ける必要があり、この取り付け作業において、商品Ｗと盗難防止用ケースＲ（無線タグＲａ）との対応付けを間違える作業ミスが発生しやすいという課題がある。
【００１３】
本発明は、上記課題を解決すべくなされ、その目的とするところは、商品のＰＯＳ情報と、商品に取り付けられた無線タグとの対応付けの間違いをなくすことができると共に、作業者の作業負担を抑えることのできるＰＯＳ情報記録装置を提供することにある。さらに、無線タグに情報を読み書きした後に、その無線タグが取り付けられた盗難防止用ケース等のアタッチメント部材を商品に取り付ける場合に、商品とアタッチメント部材との対応付けを間違える作業ミスを抑えることのできるＰＯＳ情報記録装置を提供することにある。
【００１４】
【課題を解決するための手段】
本発明に係るＰＯＳ情報記録装置は、上記課題を解決するために、以下の構成を備える。すなわち、ＵＰＣコードやＪＡＮコード等のＰＯＳ情報が記載されかつ無線タグが取り付けられた商品を、載置可能な商品載置部と、該商品載置部に載置された前記商品に記載された前記ＰＯＳ情報を、自動的に読み取るＰＯＳ情報リーダと、前記商品載置部に載置された前記商品に取り付けられた前記無線タグに、情報を書き込み可能な無線タグライタと、前記ＰＯＳ情報リーダにより読み取られた前記ＰＯＳ情報、または該ＰＯＳ情報に関連付けられた情報を、前記無線タグライタによって、前記無線タグに書き込ませる処理を、自動的に行う制御部とを備えることを特徴とする。
これによれば、商品載置部に載置された商品からＰＯＳ情報を読み取ると共に、その商品に取り付けられた無線タグにＰＯＳ情報等を書き込むため、商品のＰＯＳ情報と、商品に取り付けられた無線タグとの対応付けの間違いが発生することがない。
【００１５】
さらに、ユーザーが操作可能な入力手段を備え、前記ＰＯＳ情報リーダは、前記入力手段による操作に基づいて、前記ＰＯＳ情報を自動的に読み取り、前記制御部は、前記ＰＯＳ情報リーダが前記ＰＯＳ情報を読み取った後に、該ＰＯＳ情報、または該ＰＯＳ情報に関連付けられた情報を前記無線タグに書き込ませる処理を、自動的に行うことを特徴とする。
これによれば、ユーザーの簡単な操作によって、ＰＯＳ情報の読み取りと、そのＰＯＳ情報の無線タグへの書き込みを行うことができる。
【００１６】
また、ＵＰＣコードやＪＡＮコード等のＰＯＳ情報が記載されかつ無線タグが取り付けられた商品を、載置可能な商品載置部と、該商品載置部に載置された前記商品に記載された前記ＰＯＳ情報を、自動的に読み取るＰＯＳ情報リーダと、前記商品載置部に載置された前記商品に取り付けられた前記無線タグに記録されたＩＤコードを、自動的に読み取る無線タグリーダと、前記ＰＯＳ情報と前記ＩＤコードとを関連付けて記憶可能なＰＯＳ情報記憶手段と、前記ＰＯＳ情報リーダにより読み取られた前記ＰＯＳ情報と、前記無線タグリーダにより読み取られた前記ＩＤコードとを関連付けて前記ＰＯＳ情報記憶手段に記憶させる処理を行う制御部とを備えることを特徴とする。
これによれば、商品載置部に載置された商品からＰＯＳ情報を読み取ると共に、その商品に取り付けられた無線タグのＩＤコードを読み取って、ＰＯＳ情報とＩＤコードとを関連付けて記憶するため、商品のＰＯＳ情報と、商品に取り付けられた無線タグとの対応付けの間違いが発生することがない。
【００１７】
さらに、ユーザーが操作可能な入力手段を備え、前記ＰＯＳ情報リーダは、前記入力手段による操作に基づいて、前記ＰＯＳ情報を自動的に読み取り、前記無線タグリーダは、前記操作に基づいて、前記ＩＤコードを自動的に読み取ることを特徴とする。
これによれば、ユーザーの簡単な操作によって、ＰＯＳ情報とＩＤコードとの読み取りと、それらの記憶を行うことができる。
【００１８】
さらに、前記入力手段は、ユーザーが前記商品を前記商品載置部に載置したことを検出する商品検出手段であることを特徴とする。
これによれば、商品を商品載置部に載置するだけで、ＰＯＳ情報の読み取りと、無線タグの読み取りまたは書き込みを行うことができるため、ユーザーの作業負担をより軽減させることができる。
【００１９】
また、前記商品は、平板状に形成され、少なくとも一面側に、前記ＰＯＳ情報が記載され、前記ＰＯＳ情報リーダは、前記商品の前記一面側をスキャンして、該スキャンした商品の画像から、前記ＰＯＳ情報を認識して読み取ることを特徴とする。
これによれば、商品の一面全体をスキャンして、その画像から、商品に記載されたＰＯＳ情報を認識するため、様々な形態のＰＯＳ情報を、自動的に認識して読み取るよう構成できる。
【００２０】
また、前記商品には、盗難防止用ケース等のアタッチメント部材が取り付けられ、前記無線タグは、前記アタッチメント部材に取り付けられていることで、前記商品に取り付けられることを特徴とする。
【００２１】
また、商品に記載されたＵＰＣコードやＪＡＮコード等のＰＯＳ情報を読み取るＰＯＳ情報リーダと、盗難防止用ケース等の、無線タグが取り付けられかつ前記商品に取り付け可能なアタッチメント部材を、載置可能なアタッチメント部材載置部と、該アタッチメント部材載置部に前記アタッチメント部材が載置されているか否かを検出するアタッチメント部材検出手段と、前記アタッチメント部材載置部に載置された前記アタッチメント部材に取り付けられた前記無線タグに、情報を書き込む無線タグライタと、前記アタッチメント部材検出手段によって、前記アタッチメント部材載置部に前記アタッチメント部材が載置されていると検出している間にのみ、前記ＰＯＳ情報リーダにより読み取られた前記ＰＯＳ情報、または該ＰＯＳ情報に関連付けられた情報を、前記無線タグライタによって、該アタッチメント部材に取り付けられた前記無線タグに書き込ませる処理を行う制御部とを備えることを特徴とする。
これによれば、アタッチメント部材載置部にアタッチメント部材が載置されているときだけ、ＰＯＳ情報の読み取りと無線タグへの書き込みを行うため、ユーザーは、その読み取りおよび書き込み後に、アタッチメント部材載置部上のアタッチメント部材を、ＰＯＳ情報の読み取りを行った商品に取り付ければよく、商品とアタッチメント部材との対応付けを間違える作業ミスを抑えることができる。
【００２２】
さらに、前記アタッチメント部材載置部に載置された前記アタッチメント部材に、前記商品が取り付けられているか否かを検出する商品検出手段を備え、前記制御部は、前記アタッチメント部材検出手段によって、前記アタッチメント部材載置部に前記アタッチメント部材が載置されていると検出し、なおかつ、前記商品検出手段によって、該アタッチメント部材に前記商品が取り付けられていないと検出している間にのみ、前記ＰＯＳ情報リーダにより読み取られた前記ＰＯＳ情報、または該ＰＯＳ情報に関連付けられた情報を、前記無線タグライタによって、該アタッチメント部材に取り付けられた前記無線タグに書き込ませる処理を行うことを特徴とする。
これによれば、既に商品に取り付けられたアタッチメント部材が誤ってアタッチメント部材載置部に載置された場合には、ＰＯＳ情報の読み取りと無線タグへの書き込みを行わないため、そのアタッチメント部材の無線タグに、他の商品のＰＯＳ情報を書き込んでしまう誤りが発生することがない。
【００２３】
また、商品に記載されたＵＰＣコードやＪＡＮコード等のＰＯＳ情報を読み取るＰＯＳ情報リーダと、盗難防止用ケース等の、無線タグが取り付けられかつ前記商品に取り付け可能なアタッチメント部材を、載置可能なアタッチメント部材載置部と、該アタッチメント部材載置部に前記アタッチメント部材が載置されているか否かを検出するアタッチメント部材検出手段と、前記アタッチメント部材載置部に載置された前記アタッチメント部材に取り付けられた前記無線タグに記録されたＩＤコードを読み取る無線タグリーダと、前記ＰＯＳ情報と前記ＩＤコードとを関連付けて記憶可能なＰＯＳ情報記憶手段と、前記アタッチメント部材検出手段によって、前記アタッチメント部材載置部に前記アタッチメント部材が載置されていると検出されている間にのみ、前記ＰＯＳ情報リーダにより読み取られた前記ＰＯＳ情報を、前記無線タグリーダにより読み取られた前記ＩＤコードと関連付けて前記ＰＯＳ情報記憶手段に記憶させる処理を行う制御部とを備えることを特徴とする。
これによれば、アタッチメント部材載置部にアタッチメント部材が載置されているときだけ、ＰＯＳ情報の読み取りと記憶を行うため、ユーザーは、その読み取りおよび記憶後に、アタッチメント部材載置部上のアタッチメント部材を、ＰＯＳ情報の読み取りを行った商品に取り付ければよく、商品とアタッチメント部材との対応付けを間違える作業ミスを抑えることができる。
【００２４】
さらに、前記アタッチメント部材載置部に載置された前記アタッチメント部材に、前記商品が取り付けられているか否かを検出する商品検出手段を備え、前記制御部は、前記アタッチメント部材検出手段によって、前記アタッチメント部材載置部に前記アタッチメント部材が載置されていると検出し、なおかつ、前記商品検出手段によって、該アタッチメント部材に前記商品が取り付けられていないと検出している間にのみ、前記ＰＯＳ情報リーダにより読み取られた前記ＰＯＳ情報を、前記無線タグリーダにより読み取られた前記ＩＤコードと関連付けて前記ＰＯＳ情報記憶手段に記憶させる処理を行うことを特徴とする。
これによれば、既に商品に取り付けられたアタッチメント部材が誤ってアタッチメント部材載置部に載置された場合には、ＰＯＳ情報の読み取りと記憶を行わないため、そのアタッチメント部材の無線タグのＩＤコードを、他の商品のＰＯＳ情報と関連付けて記憶してしまう誤りが発生することがない。
【００２５】
また、前記商品は、内部にＣＤが格納されたＣＤケースであることを特徴とする。
これによれば、ＣＤのＰＯＳシステム等の商品管理システムに用いて好適なＰＯＳ情報記録装置を提供することができる。
【００２６】
【発明の実施の形態】
以下、本発明に係るＰＯＳ情報記録装置の好適な実施の形態を、添付図面に基づいて詳細に説明する。
【００２７】
（第一の実施の形態）
図１は、本第一の実施の形態に係るＰＯＳ情報記録装置Ａを備えた、ＰＯＳシステムＰの構成を示す説明図である。ＰＯＳシステムＰは、基地局Ｉに設置されたＰＯＳシステムサーバＨと、各店舗Ｓ，Ｓ・・に設置されたＰＯＳ情報記録装置Ａ，Ａ・・と、ＰＯＳシステムサーバＨとＰＯＳ情報記録装置Ａ，Ａ・・とを互いに通信可能に接続する、インターネットや専用回線等のネットワークＮとから成る。
【００２８】
各店舗Ｓに設置されたＰＯＳ情報記録装置Ａは、ネットワークＮに接続された、制御部としてのコンピュータ２と、ＰＯＳ情報リーダライタ４と、レジ６とから成る。
なお、本実施の形態においては、制御部としてのコンピュータ２は、ＰＯＳ情報リーダライタ４と別体に設けられているが、例えば、制御部を、ＰＯＳ情報リーダライタ４内部に配設されたマイコン制御部に構成する等、制御部とＰＯＳ情報リーダライタ４とを一体に構成しても良い。
【００２９】
ＰＯＳシステムＰにおいては、店舗Ｓに商品が入荷した際、商品に無線タグを取り付け、ＰＯＳ情報リーダライタ４によって、商品にバーコード等の形態によって記載されたＰＯＳ情報を読み取ると共に、そのＰＯＳ情報をその商品の無線タグに書き込む。ＰＯＳ情報は、店舗Ｓのコンピュータ２や基地局ＩのＰＯＳシステムサーバＨ上に設けられた、ＰＯＳ情報記憶手段５０に記憶され、在庫管理や売れ行き情報管理等、各種の商品管理に用いられる。
なお、商品から読み取ったＰＯＳ情報を、その商品に取り付けられた無線タグに記憶するのではなく、その無線タグから読み取ったＩＤコードと関連付けて、コンピュータ２やＰＯＳシステムサーバＨの、ＰＯＳ情報記憶手段５０に記憶させるよう構成してもよい。
【００３０】
ＰＯＳシステムＰにおいては、店舗Ｓにおいて商品が販売される際には、レジ６に接続された無線タグリーダによって、その商品に取り付けられた無線タグからＰＯＳ情報（またはＩＤコード）を読み取って、それをコンピュータ２やＰＯＳシステムサーバＨにより照合することで、販売される商品を特定して、商品管理を行う。
【００３１】
次に、本第一の実施の形態に係るＰＯＳ情報記録装置Ａにつき、図２を参照して説明する。図２は、各店舗Ｓに設置されるＰＯＳ情報記録装置Ａの説明図である。なお、第一の実施の形態に係るＰＯＳ情報記録装置Ａは、本願の請求項１〜７に記載したＰＯＳ情報記録装置に対応するものである。
ＰＯＳ情報記録装置Ａは、コンピュータ２と、コンピュータ２に接続されたＰＯＳ情報リーダライタ４と、コンピュータ２に接続されたレジ６とから成る。
【００３２】
ＰＯＳ情報リーダライタ４は、アタッチメント部材としての盗難防止用ケースＲを介して無線タグＲａが取り付けられた、ＣＤが格納されたＣＤケース等の平板状の商品Ｗを載置可能な、商品載置部としての凹部１０ａが形成された商品載置台１０と、商品載置台１０の凹部１０ａに載置された商品Ｗに記載されたＰＯＳ情報としてのバーコードＷａを自動的に読み取る、ＰＯＳ情報リーダとしてのスキャナ１２と、凹部１０ａに載置された商品Ｗに取り付けられた無線タグＲａにデータを書き込み可能な無線タグライタ１４と、商品Ｗが凹部１０ａに載置されたことを検出する商品検出手段（入力手段）としての商品センサ１６とを備える。
【００３３】
スキャナ１２は、ほぼ直方形に形成され、その長手両端が、商品載置台１０の凹部１０ａを囲む壁面のうちの対向する二壁面の上縁に設けられたレール１２ａ，１２ａに、摺動可能に取り付けられる。スキャナ１２は、凹部１０ａを囲む一壁部の上方が初期位置となるように設置される。スキャナ１２の、凹部１０ａ内の商品Ｗ側に対向する下面側には、発光部（図示せず）と、その発光部から発せられて商品Ｗに反射した反射光を受光して、商品Ｗの上面一面の画像をスキャンする受光部（図示せず）とが設けられている。スキャナ１２は、レール１２ａ，１２ａに沿って、商品Ｗの上方を平行移動しながら、発光部によって商品Ｗに光を照射しつつその反射光を受光部で受光することで、商品の上面一面の画像をスキャンして、スキャンした画像情報をコンピュータ２に送ることができる。
【００３４】
無線タグライタ１４は、凹部１０ａ内の商品Ｗに取り付けられた無線タグＲａに対して電波を発信して、無線タグＲａにコンピュータ２から送信された任意のデータを書き込むことができる。
【００３５】
商品検出手段（入力手段）としての商品センサ１６は、商品載置台１０の凹部１０ａの底面に設けられ、ユーザーによって凹部１０ａ内に商品Ｗが載置された際に、商品Ｗの重みで押下される押下スイッチである。
【００３６】
前記スキャナ１２は、商品載置台１０の凹部１０ａに商品Ｗが載置されて、商品センサ１６が押下されるのをトリガに自動的に起動され、凹部１０ａ内の商品の一面の画像のスキャンを行う。
なお、スキャナ１２のこの自動起動は、商品載置台１０内の、スキャナ１２を駆動させる、スキャナ１２の駆動ファームウェアによって実現してもよいし、商品センサ１６の状態を、コンピュータ２でモニタして、商品センサ１６が押下された際に、コンピュータ２の指示によって、スキャナ１２を駆動してスキャンを行うよう構成してもよい。
【００３７】
レジ６は、商品Ｗに取り付けられた無線タグＲａの情報を読み取り可能な無線タグリーダ６ａと、商品Ｗの商品名や価格等を表示する表示手段６ｂと、レシートを発行するレシート印刷手段６ｃとを備える。
【００３８】
特許請求の範囲でいうところの制御部としてのコンピュータ２は、更にその内部に、ハードウェアとして、ＣＰＵやメモリやハードディスク等で構成され、ソフトウェアを実行可能な制御手段２ａを備える。
また、コンピュータ２は、ネットワークＮを介して他のコンピュータ等と通信する、ネットワークカード等の通信手段２ｄと、ＰＯＳ情報リーダライタ４やレジ６と通信して制御するための通信ポート２ｅとを備える。
【００３９】
また、コンピュータ２は、スキャナ１２によって読み取られた商品Ｗの画像情報を解析して、その画像情報から、商品Ｗに記載されたバーコードＷａを認識し、バーコードＷａが表現しているＰＯＳ情報を解析するＰＯＳ情報認識手段２ａａと、ＰＯＳ情報認識手段２ａａによって認識したＰＯＳ情報またはそのＰＯＳ情報に関連付けられた情報を、無線タグライタ１４を制御して、前記商品Ｗの無線タグＲａに書き込む無線タグ書き込み手段２ａｂと、ＰＯＳ情報認識手段２ａａによって認識したＰＯＳ情報またはそのＰＯＳ情報に関連付けられた情報を、ネットワークＮを介して基地局ＩのＰＯＳシステムサーバＨに送信して、後述するＰＯＳ情報記憶手段５０に記憶させるＰＯＳ情報送信手段２ａｃと、商品の会計の際にレジ６の無線タグリーダ６ａによって読み取られた無線タグＲａのＰＯＳ情報を、ネットワークＮを介して基地局ＩのＰＯＳシステムサーバＨに送信し、前記ＰＯＳ情報記憶手段５０に商品Ｗを特定させて、ＰＯＳ情報記憶手段５０から値段や商品名等の商品Ｗの情報を受信するＰＯＳ情報照合手段２ａｄと、ＰＯＳ情報照合手段２ａｄによって特定された前記商品Ｗの情報を、レジ６の表示手段６ｂに表示させたり、レジ６のレシート印刷手段６ｃで印刷させたりする制御を行う会計情報表示手段２ａｅとを備える。
なお、本第一の実施の形態においては、ＰＯＳ情報記憶手段５０は、ＰＯＳシステムサーバＨ上に構築しているが、各店舗Ｓのコンピュータ２上に設けても良い。
【００４０】
ＰＯＳ情報認識手段２ａａ、無線タグ書き込み手段２ａｂ、ＰＯＳ情報送信手段２ａｃ、ＰＯＳ情報照合手段２ａｄ、および会計情報表示手段２ａｅは、コンピュータ２にインストールされたソフトウェアが制御手段２ａ上で実行されることで、起動されるよう構成されている。
【００４１】
前記ＰＯＳ情報認識手段２ａａおよび前記無線タグ書き込み手段２ａｂは、商品載置台１０の凹部１０ａに商品Ｗが載置されて、商品センサ１６が押下され、前記スキャナ１２が商品Ｗの画像をスキャンすると、自動的に起動して実行されるよう構成される。
【００４２】
基地局ＩのＰＯＳシステムサーバＨは、コンピュータによって構成される。システムサーバＨは、ハードウェアとして、ＣＰＵやメモリやハードディスク等で構成され、ソフトウェアを実行可能な、図示しない制御手段と、ネットワークＮを介して他のコンピュータ等と通信する、ネットワークカード等の図示しない通信手段とを備える。
【００４３】
また、ＰＯＳシステムサーバＨは、各店舗Ｓ，Ｓ・・のコンピュータ２，２・・のＰＯＳ情報送信手段２ａｃおよびＰＯＳ情報照合手段２ａｄから送信されてきた各商品のＰＯＳ情報（またはＩＤコード）を記憶および管理するＰＯＳ情報記憶手段５０を備える。
ＰＯＳ情報記憶手段５０は、ＰＯＳシステムサーバＨにインストールされたソフトウェアが前記制御手段上で実行されることで、起動されるよう構成されている。
【００４４】
以下、ＰＯＳ情報記録装置Ａの動作につき、図３に示す作業のフローおよび図４に示す処理フローに沿って説明する。
【００４５】
まず、店舗Ｓに商品Ｗが入荷された際に、店員等の作業者（ユーザー）による手作業により、商品Ｗ，Ｗ・・のそれぞれに、盗難防止用ケースＲ，Ｒ・・を取り付ける（図３  ステップ１）。
【００４６】
続いて、商品載置台１０の凹部１０ａ内に、盗難防止用ケースＲが取り付けられた商品Ｗを載置する（ステップ２）。
【００４７】
すると、商品センサ１６が商品Ｗの重みによって押下される。すると、スキャナ１２が自動的に駆動され、商品Ｗの一面の画像がスキャンされて、その画像情報がコンピュータ２に送信される（図４  ステップＡ）。コンピュータ２は、画像情報が送信されてくると、ＰＯＳ情報認識手段２ａａを自動的に起動させ、受信したその画像情報を解析して、商品Ｗに記載されたバーコード等のＰＯＳ情報を認識する（ステップＢ）。さらに、コンピュータ２は、無線タグ書き込み手段２ａｂを起動させ、ＰＯＳ情報認識手段２ａａによって認識したＰＯＳ情報またはそのＰＯＳ情報に関連付けられた情報を、無線タグライタ１４を介して、前記商品Ｗの無線タグＲａに書き込む（ステップＣ）。さらに、コンピュータ２は、ＰＯＳ情報送信手段２ａｃを起動させ、ＰＯＳ情報認識手段２ａａによって認識したＰＯＳ情報またはそのＰＯＳ情報に関連付けられた情報を、ネットワークＮを介して基地局ＩのＰＯＳシステムサーバＨに送信する。ＰＯＳシステムサーバＨは、送信されてきたＰＯＳ情報またはそのＰＯＳ情報に関連付けられた情報を、ＰＯＳ情報記憶手段５０に記憶させる（ステップＤ）。ＰＯＳ情報の読み取り、無線タグＲａへのＰＯＳ情報の書き込み、および、ＰＯＳ情報記憶手段５０へ書き込みが終了すると、コンピュータ２のモニタ等の図示しない表示手段または商品載置台１０に設けられた図示しない表示手段に、一連の記録処理が終了したことを示す表示がなされる（ステップＥ）。
【００４８】
続いて、作業者は、記録処理の終了を前記表示手段により確認し、商品載置台１０の凹部１０ａから、商品Ｗを取り出す（図３  ステップ３）。
【００４９】
この様に、本第一の実施の形態に係るＰＯＳ情報記録装置Ａによれば、作業者は、盗難防止用ケースＲの取り付けと、商品Ｗの商品載置台１０への載置と取り出しとを行うだけで、ＰＯＳ情報を無線タグＲａに書き込むことができると共に、ＰＯＳシステムＰのＰＯＳ情報記憶手段５０に商品のＰＯＳ情報を記録することができる。また、商品Ｗに無線タグＲａを取り付けた状態で、自動的にＰＯＳ情報の読み取りと無線タグＲａへの書き込みを行うため、従来のＰＯＳ情報記録装置Ｘの様にＰＯＳ情報の読み込みと無線タグへの書き込みの作業が別々に必要とならず、作業者が商品と無線タグとの対応付けを間違えてしまうことがない。
【００５０】
商品Ｗの会計の際には、店員がレジ６の無線タグリーダ６ａに商品を近づけると、無線タグリーダ６ａが商品Ｗに取り付けられた無線タグＲａのＰＯＳ情報（またはＩＤコード）を読み取り、読み取られた情報がコンピュータ２に送信される。コンピュータ２においては、ＰＯＳ情報照合手段２ａｄが、起動され、ＰＯＳシステムサーバＨのＰＯＳ情報記憶手段５０と通信して、その商品Ｗの商品名や価格等の商品の情報を受信する。続いて、コンピュータ２は、会計情報表示手段２ａｅを起動して、レジ６と通信して、レジ６の表示手段６ｂに、前記商品の情報を表示させると共に、レシート印刷手段６ｃに、前記商品の情報が記載されたレシートを印刷させる。
【００５１】
なお、無線タグライタ１４で無線タグＲａにＰＯＳ情報を書き込むかわりに、商品載置台に無線タグライタ１４に替えて無線タグリーダを設けて、無線タグリーダを用いて無線タグＲａに記録されているＩＤコードを読み取ってコンピュータ２に取り込み、そのＩＤコードと、スキャナ１２で読み取ったバーコードＷａのＰＯＳ情報とを関連付けて、コンピュータ２やＰＯＳシステムサーバＨのＰＯＳ情報記憶手段５０に記憶させるよう構成してもよい（請求項３、４に該当）。これによっても、会計の際には、無線タグＲａから読み取ったＩＤコードに基づいて商品のＰＯＳ情報を特定できるため、同様の効果を得ることができる。
【００５２】
（第二の実施の形態）
次に、本発明の第二の実施の形態に係るＰＯＳ情報記録装置Ｂにつき、図５を参照して説明する。図５は、各店舗Ｓに設置されるＰＯＳ情報記録装置Ｂの説明図である。なお、第二の実施の形態に係るＰＯＳ情報記録装置Ｂは、本願の請求項８〜１１に記載したＰＯＳ情報記録装置に対応するものである。なお、第二の実施の形態に係るＰＯＳ情報記録装置Ｂにおいて、第一の実施の形態に係るＰＯＳ情報記録装置Ａと同様の構成部分については、同一の符号を付して説明を省略する。
【００５３】
ＰＯＳ情報記録装置Ｂは、コンピュータ２と、コンピュータ２に接続されたＰＯＳ情報リーダとしてのバーコードリーダ１８と、コンピュータ２に接続されたＰＯＳ情報ライタ２０と、コンピュータ２に接続されたレジ６とから成る。
【００５４】
バーコードリーダ１８の一端部には、商品ＷのバーコードＷａに向けられた際に、そのバーコードＷａを読み取るための、図示しない発光部と受光部とが設けられている。受光部は、発光部から発せられてバーコードＷａに反射した反射光を受光して、バーコードＷａをスキャンする機能を持つ。バーコードリーダ１８は、受光部でスキャンしたバーコードＷａのパターン情報をコンピュータ２に送ることができる。
【００５５】
ＰＯＳ情報ライタ２０は、平板状の商品Ｗに、商品Ｗの周縁部を覆うように取り付けられる、枠状のアタッチメント部材としての盗難防止用ケースＲを載置可能な、アタッチメント部材載置部としての凹部２２ａが形成されたアタッチメント部材載置台２２と、アタッチメント部材載置台２２の凹部２２ａに載置された盗難防止用ケースＲに取り付けられた無線タグＲａにデータを書き込み可能な無線タグライタ１４と、盗難防止用ケースＲが凹部２２ａに載置されたことを検出するアタッチメント部材検出手段としてのアタッチメント部材センサ２４と、凹部２２ａ内に載置された盗難防止用ケースＲに、商品Ｗが取り付けられているか否かを検出する商品検出手段としての、商品センサ２６とを備える。
【００５６】
無線タグライタ１４は、凹部２２ａ内の盗難防止用ケースＲに取り付けられた無線タグＲａに対して電波を発信して、無線タグＲａにコンピュータ２から送信された任意のデータを書き込むことができる。
【００５７】
アタッチメント部材センサ２４は、アタッチメント部材載置台２２の凹部２２ａの底面に設けられ、ユーザーによって凹部２２ａ内に盗難防止用ケースＲが載置された際に、盗難防止用ケースＲの重みで押下される押下スイッチである。
【００５８】
商品センサ２６は、アタッチメント部材載置台２２の凹部２２ａの底面に、前記枠状の盗難防止用ケースＲの枠内に進入するように設けられる。商品センサ２６は、ユーザーによって凹部２２ａ内に、商品Ｗが取り付けられていない盗難防止用ケースＲが載置された際には、盗難防止用ケースＲの枠内に進入して押下されず、一方、商品Ｗが取り付けられた盗難防止用ケースＲが載置された際には、商品Ｗの重みで押下されるよう設けられた押下スイッチである。
【００５９】
コンピュータ２は、バーコードリーダ１８によって読み取られた商品ＷのバーコードＷａのパターン情報を解析して、そのパターン情報から、商品Ｗに記載されたバーコードＷａを認識し、バーコードＷａが表現しているＰＯＳ情報を解析するＰＯＳ情報認識手段２ａｆと、ＰＯＳ情報認識手段２ａｆによって認識したＰＯＳ情報またはそのＰＯＳ情報に関連付けられた情報を、無線タグライタ１４を制御して、前記盗難防止用ケースＲの無線タグＲａに、自動的に書き込む無線タグ書き込み手段２ａｇとを備える。
なお、ＰＯＳ情報送信手段２ａｃと、ＰＯＳ情報照合手段２ａｄと、会計情報表示手段２ａｅとは、第一の実施の形態と同様の機能を持つ。
ＰＯＳ情報認識手段２ａｆ、無線タグ書き込み手段２ａｇは、コンピュータ２にインストールされたソフトウェアが制御手段２ａ上で実行されることで、起動されるよう構成されている。
なお、本第二の実施の形態においても、後述するＰＯＳ情報記憶手段５０は、ＰＯＳシステムサーバＨ上に構築しているが、各店舗Ｓのコンピュータ２上に設けても良い。
【００６０】
前記無線タグ書き込み手段２ａｇは、アタッチメント部材載置台２２の凹部２２ａに盗難防止用ケースＲが載置されて、アタッチメント部材センサ２４が押下され、なおかつ、その盗難防止用ケースＲに商品Ｗが取り付けられておらず、商品センサ２６が押下されていないときのみ起動可能に設けられ、そのときのみ無線タグライタ１４を介して無線タグＲａにＰＯＳ情報等を書き込み可能に構成される。
【００６１】
以下、ＰＯＳ情報記録装置Ｂの動作につき、図６に示す作業のフローおよび図７に示す処理フローに沿って説明する。
【００６２】
まず、店舗Ｓに商品Ｗが入荷された際に、店員等の作業者による手作業により、アタッチメント部材載置台２２の凹部２２ａ内に、盗難防止用ケースＲを載置する（図６  ステップ１）。
すると、アタッチメント部材センサ２４が盗難防止用ケースＲの重みによって押下される。アタッチメント部材センサ２４が押下されると、それをトリガに、ＰＯＳ情報認識手段２ａｆは、バーコードリーダ１８によるバーコードの読み取りが可能な状態となる。
【００６３】
続いて、作業者によって、商品ＷのバーコードＷａにバーコードリーダ１８を近づけて、バーコードＷａを読み取る（ステップ２）。
【００６４】
すると、コンピュータ２はＰＯＳ情報認識手段２ａｆを起動させ、ＰＯＳ情報認識手段２ａｆは、バーコードリーダ１８によって読み取られた商品ＷのバーコードＷａのパターン情報を解析して、そのパターン情報から、商品Ｗに記載されたバーコードＷａを認識し、バーコードＷａが表現しているＰＯＳ情報を解析する（図７  ステップＡ）。ＰＯＳ情報認識手段２ａｆがＰＯＳ情報を解析すると、ＰＯＳ情報認識手段２ａｆは、自動的に、無線タグ書き込み手段２ａｇを起動させる。無線タグ書き込み手段２ａｇは、そのＰＯＳ情報またはそのＰＯＳ情報に関連付けられた情報を、無線タグライタ１４を介して、前記盗難防止用ケースＲの無線タグＲａに書き込む（ステップＣ）。なお、この際、無線タグ書き込み手段２ａｇは、アタッチメント部材センサ２４によって、アタッチメント部材載置台２２に盗難防止用ケースＲが載置されていると検出され、なおかつ、商品センサ２６によって、その盗難防止用ケースＲに商品Ｗが取り付けられていないと検出している間にのみ、前記ＰＯＳ情報または前記ＰＯＳ情報に関連付けられた情報を、前記無線タグＲａに書き込ませる。ここで、アタッチメント部材載置台２２に盗難防止用ケースＲが載置されていなかったり、または、商品センサ２６によって、その盗難防止用ケースＲに商品Ｗが取り付けられていると検出されていたりする場合には、無線タグＲａへの書き込みを行わない（ステップＢ）。さらに、コンピュータ２は、ＰＯＳ情報送信手段２ａｃを起動させ、ＰＯＳ情報認識手段２ａａによって認識したＰＯＳ情報またはそのＰＯＳ情報に関連付けられた情報を、ネットワークＮを介して基地局ＩのＰＯＳシステムサーバＨに送信する。ＰＯＳシステムサーバＨは、送信されてきたＰＯＳ情報またはそのＰＯＳ情報に関連付けられた情報を、ＰＯＳ情報記憶手段５０に記憶させる（ステップＤ）。ＰＯＳ情報の読み取り、無線タグＲａへのＰＯＳ情報の書き込み、および、ＰＯＳ情報記憶手段５０へ書き込みが終了すると、コンピュータ２のモニタ等の図示しない表示手段または商品載置台１０に設けられた図示しない表示手段に、一連の記録処理が終了したことを示す表示がなされる（ステップＥ）。なお、ステップＢで、盗難防止用ケースＲがなかったり、商品Ｗが取り付けられていたりした場合には、センサの異常を通知する表示が、前記表示部になされる（ステップＦ）。
【００６５】
続いて、作業者は、記録処理の終了を前記表示手段により確認し、作業者による手作業により、アタッチメント部材載置台２２上の盗難防止用ケースＲを、バーコードＷａを読み込んだ商品Ｗに取り付ける（図６  ステップ３）。
【００６６】
本第二の実施の形態に係るＰＯＳ情報記録装置Ｂによれば、商品Ｗに盗難防止用ケースＲを取り付けない状態でバーコードＷａを読み取るため、盗難防止用ケースＲを商品Ｗに取り付けた際に盗難防止用ケースＲによってバーコードＷａが隠されてしまう場合でも、バーコードＷａを読み取ってそのＰＯＳ情報を無線タグＲａに書き込むことができる。
【００６７】
また、作業者は、商品ＷのバーコードＷａを読み込んだ直後に、その商品Ｗに、アタッチメント部材載置台２２上の盗難防止用ケースＲを取り付ければよいため、商品Ｗと盗難防止用ケースＲとの対応付けを間違えることを抑えることができる。
また、アタッチメント部材載置台２２上に盗難防止用ケースＲがないときには、バーコードリーダ１８によるバーコードＷａの読み込みを行わず、また、アタッチメント部材載置台２２上の盗難防止用ケースＲに商品Ｗが誤って取り付けられているときには、バーコードリーダ１８によるバーコードＷａの読み込みを行わないため、作業者の作業の手順の間違いを抑えることができる。
【００６８】
さらに、アタッチメント部材載置台２２上に盗難防止用ケースＲが載置されたのをトリガに、バーコードリーダ１８によるバーコードＷａ読み取りが可能となるため、作業者によるバーコード読み取り開始操作が不要となり、作業者の作業負担を抑えることができる。
【００６９】
なお、ＰＯＳ情報記録装置Ｂの、商品Ｗの会計の際の動作および作業者の作業は、ＰＯＳ情報記録装置Ａと同様である。
【００７０】
なお、無線タグライタ１４で無線タグＲａにＰＯＳ情報を書き込むかわりに、アタッチメント部材載置台２２に無線タグリーダを設けて、無線タグリーダを用いて無線タグＲａに記録されているＩＤコードを読み取ってコンピュータ２に取り込み、そのＩＤコードと、バーコードリーダ１８で読み取ったバーコードＷａのＰＯＳ情報とを関連付けて、コンピュータ２やＰＯＳシステムサーバＨのＰＯＳ情報記憶手段５０に記憶させるよう構成してもよい（請求項１０、１１に該当）。これによっても、会計の際には、無線タグＲａから読み取ったＩＤコードに基づいて商品のＰＯＳ情報を特定できるため、同様の効果を得ることができる。
【００７１】
（第三の実施の形態）
盗難防止用ケースＲを取り付けた際に商品ＷのバーコードＷａが隠れてしまう場合に適応できる、第二の実施の形態のＰＯＳ情報記録装置Ｂを発展させた、第三の実施の形態ＰＯＳ情報記録装置Ｃにつき、図８を参照して説明する。
なお、第三の実施の形態に係るＰＯＳ情報記録装置Ｃにおいて、第一の実施の形態に係るＰＯＳ情報記録装置Ａまたは第二の実施の形態に係るＰＯＳ情報記録装置Ｂと同様の構成部分については、同一の符号を付して説明を省略する。
ＰＯＳ情報記録装置Ｃは、コンピュータ２と、コンピュータ２に接続されたＰＯＳ情報リーダとしてのバーコードリーダ１８と、コンピュータ２に接続されたＰＯＳ情報リーダライタ２８と、コンピュータ２に接続されたレジ６とから成る。
【００７２】
ＰＯＳ情報リーダライタ２８は、商品Ｗを載置可能な、商品載置部としての凹部３０ａとアタッチメント部材載置部としての凹部３０ｂとが形成された商品載置台３０と、商品載置部としての凹部３０ａに載置された商品Ｗに記載されたＰＯＳ情報としてのバーコードＷａを自動的に読み取る、ＰＯＳ情報リーダとしてのスキャナ１２と、商品Ｗが凹部３０ａに載置されたことを検出する商品検出手段（入力手段）としての商品センサ１６と、凹部３０ｂに載置された盗難防止用ケースＲに取り付けられた無線タグＲａにデータを書き込み可能な無線タグライタ１４と、盗難防止用ケースＲが凹部３０ｂに載置されたことを検出するアタッチメント部材検出手段としてのアタッチメント部材センサ２４と、凹部２２ａ内に載置された盗難防止用ケースＲに、商品Ｗが取り付けられているか否かを検出する商品検出手段としての、商品センサ２６とを備える。
【００７３】
前記スキャナ１２は、商品載置台３０の凹部３０ａに商品Ｗが載置されて商品センサ１６が押下され、なおかつ凹部３０ｂに盗難防止用ケースＲが載置されてアタッチメント部材センサ２４が押下されたのをトリガに（即ち、商品Ｗと盗難防止用ケースＲとの両者が共に載置されたときに。なお、商品Ｗの載置と盗難防止用ケースＲの載置との前後関係は問わない）自動的に起動され、凹部３０ａ内の商品の一面の画像のスキャンを行う。
【００７４】
また、コンピュータ２は、スキャナ１２によって読み取られた商品Ｗの画像情報を解析して、その画像情報から、商品Ｗに記載されたバーコードＷａを認識し、バーコードＷａが表現しているＰＯＳ情報を解析するＰＯＳ情報認識手段２ａａと、ＰＯＳ情報認識手段２ａａによって認識したＰＯＳ情報またはそのＰＯＳ情報に関連付けられた情報を、無線タグライタ１４を制御して、前記商品Ｗの無線タグＲａに書き込む無線タグ書き込み手段２ａｂと、ＰＯＳ情報送信手段２ａｃと、ＰＯＳ情報照合手段２ａｄと、会計情報表示手段２ａｅとを備える。
なお、本第三の実施の形態においては、後述するＰＯＳ情報記憶手段５０は、ＰＯＳシステムサーバＨ上に構築しているが、各店舗Ｓのコンピュータ２上に設けても良い。
【００７５】
前記ＰＯＳ情報認識手段２ａａおよび前記無線タグ書き込み手段２ａｂは、商品載置台３０の凹部３０ａに商品Ｗが載置されて、商品センサ１６が押下され、前記スキャナ１２が商品Ｗの画像をスキャンすると自動的に起動して実行されるよう構成される。
【００７６】
以下、ＰＯＳ情報記録装置Ｃの動作につき、図９に示す作業のフローおよび図１０に示す処理フローに沿って説明する。
【００７７】
まず、商品載置台３０の凹部３０ａ内に商品Ｗを載置し、凹部３０ｂ内に盗難防止用ケースＲを載置する（載置する順序は不同）（図９  ステップ１）。
【００７８】
すると、商品センサ１６が商品Ｗの重みによって押下され、アタッチメント部材センサ２４が盗難防止用ケースＲの重みによって押下される。両方のセンサが共に押下された時点で、それをトリガに、スキャナ１２が自動的に駆動され、商品Ｗの一面の画像がスキャンされて、その画像情報がコンピュータ２に送信される（図１０  ステップＢ）。
ただし、この際、商品センサ２６が押下されている場合、即ち、アタッチメント部材載置部としての凹部３０ｂに載置された盗難防止用ケースＲに、商品Ｗが取り付けられている場合には、商品Ｗのスキャンは行わず、コンピュータ２の図示しない表示手段に、センサの異常を表示し、処理を終了する（ステップＡ，Ｇ）。
コンピュータ２は、画像情報が送信されてくると、ＰＯＳ情報認識手段２ａａを自動的に起動させ、受信したその画像情報を解析して、商品Ｗに記載されたバーコード等のＰＯＳ情報を認識する（ステップＣ）。さらに、コンピュータ２は、無線タグ書き込み手段２ａｂを起動させ、ＰＯＳ情報認識手段２ａａによって認識したＰＯＳ情報またはそのＰＯＳ情報に関連付けられた情報を、無線タグライタ１４を介して、前記商品Ｗの無線タグＲａに書き込む（ステップＤ）。さらに、コンピュータ２は、ＰＯＳ情報送信手段２ａｃを起動させ、ＰＯＳ情報認識手段２ａａによって認識したＰＯＳ情報またはそのＰＯＳ情報に関連付けられた情報を、ネットワークＮを介して基地局ＩのＰＯＳシステムサーバＨに送信する。ＰＯＳシステムサーバＨは、送信されてきたＰＯＳ情報またはそのＰＯＳ情報に関連付けられた情報を、ＰＯＳ情報記憶手段５０に記憶させる（ステップＥ）。
ＰＯＳ情報の読み取り、無線タグＲａへのＰＯＳ情報の書き込み、および、ＰＯＳシステムサーバＨへのＰＯＳ情報の送信が終了すると、コンピュータ２のモニタ等の図示しない表示手段または商品載置台３０に設けられた図示しない表示手段に、一連の書き込み処理が終了したことを示す表示がなされる（ステップＦ）。
【００７９】
続いて、作業者は、無線タグＲａへの書き込み処理の終了を前記表示手段により確認し、商品載置台３０の凹部３０ａから商品Ｗを、凹部３０ｂから盗難防止用ケースＲを、それぞれ取り出す（取り出す順序は不同）（図９  ステップ２）。
【００８０】
続いて、取り出された商品Ｗに、取り出された盗難防止用ケースＲ，Ｒ・・を取り付ける（ステップ３）。
【００８１】
この様に、本第三の実施の形態に係るＰＯＳ情報記録装置Ｃによれば、作業者は、商品Ｗおよび盗難防止用ケースＲの商品載置台３０への載置を行うだけで、ＰＯＳ情報を無線タグＲａに書き込むことができると共に、ＰＯＳシステムＰのＰＯＳ情報記憶手段５０に商品のＰＯＳ情報を記録することができ、作業者の作業負担を少なくすることができる。また、無線タグＲａへの書き込みが完了した際に、組となる商品Ｗと盗難防止用ケースＲとが、共に商品載置台３０上にあるため、作業者は、商品載置台３０上の商品Ｗと盗難防止用ケースＲとを組み合わせて取り付けを行えばよく、作業者が商品と無線タグとの対応付けを間違えるのを抑えることができる。
【００８２】
ＰＯＳ情報記録装置Ｃの、商品Ｗの会計の際の動作および作業者の作業は、ＰＯＳ情報記録装置Ａと同様である。
【００８３】
なお、無線タグライタ１４で無線タグＲａにＰＯＳ情報を書き込むかわりに、商品載置台３０に無線タグリーダを設けて、無線タグリーダを用いて無線タグＲａに記録されているＩＤコードを読み取ってコンピュータ２に取り込み、そのＩＤコードと、スキャナ１２で読み取ったバーコードＷａのＰＯＳ情報とを関連付けて、コンピュータ２やＰＯＳシステムサーバＨのＰＯＳ情報記憶手段５０に記憶させるよう構成してもよい。これによっても、会計の際には、無線タグＲａから読み取ったＩＤコードに基づいて商品のＰＯＳ情報を特定できるため、同様の効果を得ることができる。
【００８４】
【発明の効果】
本発明に係るＰＯＳ情報記録装置によれば、商品のＰＯＳ情報と、商品に取り付けられた無線タグとの対応付けの間違いをなくすことができると共に、作業者の作業負担を抑えることができる。さらに、無線タグに情報を読み書きした後に、その無線タグが取り付けられた盗難防止用ケース等のアタッチメント部材を商品に取り付ける場合に、商品とアタッチメント部材との対応付けを間違える作業ミスを抑えることができるという効果を奏する。
【図面の簡単な説明】
【図１】本発明に係るＰＯＳ情報記録装置を用いたＰＯＳシステムの構成を示す説明図である。
【図２】第一の実施の形態に係るＰＯＳ情報記録装置の構成を示す説明図である。
【図３】第一の実施の形態に係るＰＯＳ情報記録装置を用いた、ＰＯＳ情報の記録の作業フローである。
【図４】第一の実施の形態に係るＰＯＳ情報記録装置の処理フローである。
【図５】第二の実施の形態に係るＰＯＳ情報記録装置の構成を示す説明図である。
【図６】第二の実施の形態に係るＰＯＳ情報記録装置を用いた、ＰＯＳ情報の記録の作業フローである。
【図７】第二の実施の形態に係るＰＯＳ情報記録装置の処理フローである。
【図８】第三の実施の形態に係るＰＯＳ情報記録装置の構成を示す説明図である。
【図９】第三の実施の形態に係るＰＯＳ情報記録装置を用いた、ＰＯＳ情報の記録の作業フローである。
【図１０】第三の実施の形態に係るＰＯＳ情報記録装置の処理フローである。
【図１１】従来のＰＯＳ情報記録装置の構成を示す説明図である。
【図１２】従来のＰＯＳ情報記録装置を用いた、ＰＯＳ情報の記録の作業フローである。
【符号の説明】
Ｐ  ＰＯＳシステム
Ｉ  基地局
Ｓ  店舗
Ａ，Ｂ，Ｃ  情報記録装置
Ｈ  ＰＯＳシステムサーバ
Ｎ  ネットワーク
Ｗ  商品
Ｗａ  バーコード（ＰＯＳ情報）
Ｒ  盗難防止用ケース（アタッチメント部材）
Ｒａ  無線タグ
２  コンピュータ（制御部）
２ａ  制御手段
２ａａ，２ａｆ  ＰＯＳ情報認識手段
２ａｂ，２ａｇ  無線タグ書き込み手段
２ａｃ  ＰＯＳ情報送信手段
２ａｄ  ＰＯＳ情報照合手段
２ａｅ  会計情報表示手段
２ｄ  通信手段
２ｅ  通信ポート
４  ＰＯＳ情報リーダライタ
６  レジ
６ａ  無線タグリーダ
６ｂ  表示手段
６ｃ  レシート印刷手段
１０  商品載置台
１０ａ  凹部（商品載置部）
１２  スキャナ（ＰＯＳ情報リーダ）
１２ａ  レール
１４  無線タグライタ
１６  商品センサ（入力手段・商品検出手段）
１８  バーコードリーダ（ＰＯＳ情報リーダ）
２０  ＰＯＳ情報ライタ
２２  アタッチメント部材載置台
２２ａ  凹部（アタッチメント部材載置部）
２４  アタッチメント部材センサ
２６  商品センサ（商品検出手段）
２８  ＰＯＳ情報リーダライタ
３０  商品載置台
３０ａ  凹部（商品載置部）
３０ｂ  凹部（アタッチメント部材載置部）
５０  ＰＯＳ情報記憶手段
【図１】
2004265277.tif 000003
【図２】
2004265277.tif 000004
【図３】
2004265277.tif 000005
【図４】
2004265277.tif 000006
【図５】
2004265277.tif 000007
【図６】
2004265277.tif 000008
【図７】
2004265277.tif 000009
【図８】
2004265277.tif 000010
【図９】
2004265277.tif 000011
【図１０】
2004265277.tif 000012
【図１１】
2004265277.tif 000013
【図１２】
2004265277.tif 000014